(57)【特許請求の範囲】
【請求項１】
ドアスコープを有するドアに対して着脱可能に構成されたドアスコープ用カメラであって、
本体をドアに対して着脱可能にするための取り付け手段と、
ドアスコープを通して得られる像を撮像するように構成された撮像素子と、
前記ドアスコープと前記撮像素子との相対位置を調整するように構成された位置決め手段と、
を備え、
前記位置決め手段は、フランジ部に対して接離自在に支持された加圧部材であって、前記ドアスコープにおけるドア内側に露出したフランジ部の外周を複数の方向から選択的に加圧するように構成された加圧部材を有するドアスコープ用カメラ。
【請求項２】
前記加圧部材の加圧によって保持された前記ドアスコープの光軸の位置に一致するように前記撮像素子の光軸が配置された請求項１に記載のドアスコープ用カメラ。
【請求項３】
前記位置決め手段は、前記フランジ部の外周を複数の方向から選択的に加圧することによって前記フランジ部のセンタリングを行うように構成された請求項１または２に記載のドアスコープ用カメラ。
【請求項４】
前記取り付け手段に対する前記撮像素子および前記位置決め手段の相対位置を変更可能にするフローティングマウントをさらに備えた請求項１〜３のいずれか１項に記載のドアスコープ用カメラ。
【発明の詳細な説明】
【技術分野】
【０００１】
この発明はドアスコープを有するドアに対して着脱可能に構成されたドアスコープ用カメラに関し、特に、ドアカメラの取り付け位置の調整を簡易に行うことができるように工夫されたドアスコープ用カメラに関する。
【背景技術】
【０００２】
ドアカメラは、玄関ドアなどに取り付けられ、来訪者を室内で確認することを可能にする機器である。ドアカメラの中には、専用のドアスコープとこれに対応するドアカメラとがセットになって構成されるものや、既存のドアスコープを利用しつつ来訪者を室内で確認できるように構成されるものが存在する。
【０００３】
既存のドアスコープを利用する技術の例として、ドアカメラを永久磁石によってドアに磁着させるように構成されるものが存在する（例えば、特許文献１参照。）。特許文献１に係る技術によれば、安価に、かつ、極めて容易にドアスコープ用カメラをドアに取り付けたり取り外したりすることができる、とされている。
【特許文献１】特開２００１−１８６３８８号公報
【発明の開示】
【発明が解決しようとする課題】
【０００４】
ところが、既存のドアスコープのフランジ部の大きさは規格化されていないため、特許文献１に係る技術では、ドアスコープとドアカメラとを係合させることによって両者の相対位置を一義的に決めることは困難である。例えば、現在のドアに据え付けられているドアスコープのフランジ部の外径の範囲は１４〜１８ｍｍと大きく異なっているため、ドアスコープのフランジ部とドアカメラとを係合させても、必ずしも両者の光軸が一致するとは限らなかった。
【０００５】
その結果、ドアスコープの光軸とドアカメラの光軸とを一致させるために、モニタ画面の表示内容の確認を行いつつドアスコープに対するドアカメラの相対位置を調整するなどの面倒な作業が必要であった。
【０００６】
この発明の目的は、取り付け位置の調整を簡易に行うことが可能なドアスコープ用カメラを提供することである。
【課題を解決するための手段】
【０００７】
この発明に係るドアスコープ用カメラは、ドアスコープを有するドアに対して着脱可能に構成される。このドアスコープ用カメラは、取り付け手段、撮像素子、および位置決め手段を備える。
【０００８】
取り付け手段は、ドアスコープ用カメラの本体をドアに対して着脱可能にする。取り付け手段の例としては、保持用磁石や粘着シールが挙げられる。
【０００９】
撮像素子は、ドアスコープを通して得られる像を撮像するように構成される。撮像素子の例としては、ＣＣＤカメラやＣＭＯＳカメラなどが挙げられる。
【００１０】
位置決め手段は、ドアスコープと撮像素子との相対位置を調整するように構成される。位置決め手段は、フランジ部に対して接離自在に支持されるとともに、ドアスコープにおけるドアの内側に露出したフランジ部の外周を複数の方向から選択的に加圧するように構成された加圧部材を有する。加圧部材の構成例としては、フランジ部に対して接離自在に支持され、カム機構および付勢スプリングから力の作用を受けるように構成された部材が挙げられる。
【００１１】
この構成においては、加圧部材が複数の方向からフランジ部の外周を加圧することによって、ドアスコープのフランジ径の大小にかかわらず、ドアスコープとドアスコープ用カメラとの相対位置関係が一義的に決められる。また、加圧部材の間隔を広げたり狭めたりできるため、比較的大きな径を有するフランジ部を加圧部材の間に配置できなかったり、比較的小さな径を有するフランジ部を加圧部材によって位置決め保持できなかったりする不具合が発生することがない。
【００１２】
上述の構成において、加圧部材の加圧によって保持されたドアスコープの光軸の位置に一致するように撮像素子の光軸が配置されることが好ましい。このように構成することにより、撮像素子の光軸とドアスコープの光軸とが一致する位置にてドアスコープが位置決めされ易くなるからである。
【００１３】
また、位置決め手段は、フランジ部の外周を複数の方向から選択的に加圧することによってフランジ部のセンタリングを行うように構成されることが好ましい。例えば、加圧部材とドアスコープのフランジ部とを同軸上に設けることにより、ドアスコープのフランジ部の外径のバラツキが加圧部材によって吸収され易くなる。
【００１４】
さらに、取り付け手段に対する撮像素子および位置決め手段の相対位置を変更可能にするフローティングマウントを用いることが好ましい。フローティングマウントを適用することにより、ドアスコープ用カメラをドアに固定した後に撮像素子の光軸の位置を変更することが可能になるため、ドアスコープ用カメラの取り付け作業がより簡易になる。
【発明の効果】
【００１５】
この発明によれば、ドアスコープ用カメラの取り付け位置の調整を簡易に行うことが可能になる。
【発明を実施するための最良の形態】
【００１６】
図１（Ａ）および図１（Ｂ）は、本発明の実施形態に係るドアカメラ１０の概略を示している。図１（Ａ）に示すように、ドアカメラ１０は、ドアスコープ６０を有するドア５０に着脱可能に取り付けられる。ドアスコープ６０は、ドア孔における外側に配置されるスコープ部６１と、ドア孔における内側からスコープ部６１に螺合する鏡筒部６４とを少なくとも備える。スコープ部６１および鏡筒部６４はそれぞれフランジ部を有しており、スコープ部６１のフランジ部および鏡筒部６４のフランジ部６２の間でドア５０を締め付けるようにしてドアスコープ６０がドア５０に固定される。
【００１７】
ドアカメラ１０は、ドア５０に対して着脱可能に取り付くための保持用磁石１２を備える。また、ドアカメラ１０は、ドアスコープ６０を通して得られる像を撮像するように構成されたＣＣＤ受光素子１４を備える。
【００１８】
さらに、ドアカメラ１０は、ドアスコープ６０における鏡筒部６４に係合することによって、ドアスコープ６０とＣＣＤ受光素子１４との相対位置を調整するように構成された光軸調整部２０を備える。この実施形態では、光軸調整部２０が本発明の位置決め手段に対応する。
【００１９】
図１（Ｂ）に示すように、光軸調整部２０は、複数の調整アーム２６、調整ハンドル２２、およびリセットレバー２８を備える。調整アーム２６は、揺動軸２６２に軸支されるとともに、スプリング２４によって鏡筒部６４のフランジ部６２から離れる方向の力が加えられる。調整ハンドル２２は、中央に孔が設けられた円形状を呈する。調整ハンドル２２の外周にはリセットレバー２８に噛合する複数の歯が形成される。一方で、中央の穴の輪郭に沿って、調整アーム２６に当接するように構成されたスライド面２２２が形成される。スライド面２２２は、調整ハンドル２２中心からの距離が各部において異なるように構成されており、調整ハンドル２２の回転運動を調整アーム２６の揺動運動に変換するカム機構として機能する。リセットレバー２８は、調整ハンドル２２を一方向にのみ回転可能にするように構成される。ここでは、リセットレバー２８は、調整ハンドル２２の反時計方向の回転のみを可能とし時計方向の回転を規制するラチェット効果を奏する。また、リセットレバー２８におけるドアカメラ１０の外部に突出した箇所をドアカメラ１０の内部に押し込むことにより、リセットレバー２８と調整ハンドル２２の外周の歯との噛合が解除される。この結果、リセットレバー２８をドアカメラ１０の内部に押し込むことにより、リセットレバー２８のラチェット効果がなくなり、調整ハンドル２２が時計方向に回転可能になる。
【００２０】
続いて、ドアカメラ１０をドア５０に取り付ける手順について説明する。ドアカメラ１０をドア５０に取り付ける際には、まず、調整アーム２６を最も開いた状態に設定し、ドアスコープ６０の鏡筒部６４のフランジ部６２が調整アーム２６に包囲される状態を形成する。このとき、ドアカメラ１０をこの位置でドア５０に仮止めしても良い。
【００２１】
続いて、図２（Ａ）に示すように、調整ハンドル２２を反時計方向に回転させ、３つの調整アーム２６によって鏡筒部６４のフランジ部６２を締め付ける。３つの調整アーム２６にフランジ部６２が締め付けられることにより、フランジ部６２の中心が調整ハンドル２２の中心位置へと案内される。
【００２２】
ドアカメラ１０では、調整ハンドル２２の中心位置とＣＣＤ受光素子１４の光軸とを一致させているため、３つの調整アーム２６によってフランジ部６２を締め付けることによって、図２（Ｂ）に示すように、ドアスコープ６０の光軸とＣＣＤ受光素子１４の光軸とが一致するようになる。そして、リセットレバー２８のラチェット効果によってドアスコープ６０とＣＣＤ受光素子１４との相対位置関係が固定される。この状態にて、保持用磁石１２によってドアカメラ１０をドア５０に固定することにより、ドアカメラ１０の取り付け位置の調整を簡易に行うことが可能になる。
【００２３】
上述のように、調整アーム２６が揺動することにより、ドアスコープ６０の鏡筒部６４のフランジ部６２の外径差が吸収され、ドアスコープ６０とドアカメラ１０との相対位置関係が一義的に決められる。このため、ドア５０に設けられたドアスコープ６０のサイズに関わらず、ドアカメラ１０の取り付け位置の調整を簡易に行うことが可能になる。また、リセットレバー２８をドアカメラ１０の内部に押し込むことにより、リセットレバー２８のラチェット効果が解除されるため、図２（Ｃ）に示すように、３つの調整アーム２６にフランジ部６２が締め付けを解除することが可能になる。
【００２４】
以上のように本実施形態によれば、ドアスコープ６０の光軸とＣＣＤ受光素子１４の光軸とがずれにくくなるため、図３（Ａ）および図３（Ｂ）に示すように撮像可能エリア１４２がドアスコープ６０を通して得られる像の中心から大きくずれることがなく、図３（Ｃ）に示すように、ドアスコープ６０を通して得られる像の主要箇所の撮像を行うことが可能になる。つまり、図３（Ａ）および図３（Ｂ）のように、来訪者の人物像が撮像可能エリア１４２の外に大きくずれたり、撮像画像における黒ベタのエリアが占める割合が大きくなることで見苦しくなったりする不具合が発生することがない。
【００２５】
以上の実施形態では、３つの調整アーム２６によって、フランジ部６２のセンタリングを行ったが、フランジ部６２のセンタリングは調整アーム２６以外の手段によっても実現可能である。例えば、ハンドル式の鉛筆削りの鉛筆チャック部に用いられる機構、シャープペンシルの芯チャック部に用いられる機構、またはドリルの刃を締めるチャック部に用いられる機構をフランジ部６２のセンタリング手段として適用することも可能である。要するに、フランジ部６２の外周を複数方向（好ましくは、３方向以上）から中央に向かって選択的に加圧するような機構であれば、ドアカメラ１０の光軸調整部２０に適用することが可能である。
【００２６】
なお、ドア５０が磁着不可能な素材で構成される場合（例えば、木製のドア）には、粘着シールを用いるか、または、図４に示す鋼製の取り付け板７０を用いると良い。取り付け板７０は、大孔部７６および小孔部７４からなる孔７２を有する。取り付け板７０を使用する際には、ドアスコープ６０の鏡筒部６４を少し緩めるとともに、大孔部７６に鏡筒部６４の端部を通す。大孔部７６に鏡筒部６４の端部を通した後に、鏡筒部６４の端部を小孔部７４内に滑り込ませ、鏡筒部６４のフランジ部６２とドア５０とによって小孔部７４を挟み込むようにして、取り付け板７０をドア５０に固定する。取り付け板７０がドア５０に固定されると、ドアカメラ１０が取り付け板７０を介してドア５０に取り付くようになる。
【００２７】
図５を用いて、光軸調整部２０の他の構成例を説明する。ここでは、往復移動自在に支持された第１の加圧部材８４および第２の加圧部材８５によって、鏡筒部６４のフランジ部６２を挟み込む構成を採用している。第１の加圧部材８４および第２の加圧部材８５は、それぞれスプリング８６によってフランジ部６２に接近する方向に力が加えられる。第１の加圧部材８４および第２の加圧部材８５はフランジ部６２を保持するためのノッチ部８７を備える。また、第１の加圧部材８４および第２の加圧部材８５は、解除部材８２が摺動するように構成されたスライド面８８を備える。
【００２８】
スプリング８６の力に対抗するように解除部材８２を図中の矢印の方向に押し込むことにより、第１の加圧部材８４および第２の加圧部材８５がフランジ部６２から退避する方向に移動する。一方で、解除部材８２を図中の矢印とは反対の方向に引くことにより、スプリング８６の付勢力によって第１の加圧部材８４および第２の加圧部材８５がフランジ部６２を挟み込むように移動する。
【００２９】
図５に示す構成において、解除部材８２を押圧しつつフランジ部６２を第１の加圧部材８４および第２の加圧部材８５の間に配置し、その後に解除部材８２の押圧を止めると、第１の加圧部材８４および第２の加圧部材８５によってドアスコープ６０とＣＣＤ受光素子１４との相対位置関係が一義的に固定される。このため、ドアスコープ６０が係止される箇所に対応するようにＣＣＤ受光素子１４の位置を設計しておくことにより、ドアスコープ６０の光軸とＣＣＤ受光素子１４の光軸とを簡易に一致させることが可能になる。
【００３０】
上述の実施形態では、ドアスコープ６０の光軸とＣＣＤ受光素子１４の光軸とを一致させながらドアカメラ１０の取り付け位置を決める手法を用いているが、ドアカメラ１０の取り付け手法はこれに限定されることはない。例えば、ドア５０に取り付けられる部分に対する光軸調整部２０およびＣＣＤ受光素子１４の相対位置を変更可能にするフローティングマウントを適用することにより、ドアカメラ１０をドア５０に固定した後にＣＣＤ受光素子１４の光軸の位置を変更することが可能になるため、ドアカメラ１０の取り付け作業がより簡易になる。
【００３１】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００３２】
【図１】本発明の実施形態に係るドアカメラの概略を示す図である。
【図２】ドアカメラにおける光軸調整部を説明する図である。
【図３】ＣＣＤ受光素子の光軸の位置と撮像画増との関係を示す図である。
【図４】ドアカメラの取り付けの他の例を示す図である。
【図５】ドアカメラにおける光軸調整部の他の例を示す図である。
【符号の説明】
【００３３】
１０−ドアカメラ
１２−保持用磁石
２０−光軸調整部
２２−調整ハンドル
２４−スプリング
２６−調整アーム
２８−リセットレバー
５０−ドア
６０−ドアスコープ
【図１】
0004972597.tif 000002
【図２】
0004972597.tif 000003
【図３】
0004972597.tif 000004
【図４】
0004972597.tif 000005
【図５】
0004972597.tif 000006